(57)【要約】【課題】簡単に加工する事が不可能であり、視聴者は広告・宣伝用の部分を飛ばして視聴することが不可能な配信用広告・宣伝データ付きデータファイルを配信する。【解決手段】配信用広告・宣伝データ付きデータファイルは、視聴者が視聴したいデータ部と、広告・宣伝データ部が一つのファイルに収められており、そして暗号化が施されており、その表示・再生ソフトウェアは、そのデータファイルを再生する時、施された暗号を復号化し、視聴者がいかなる操作をしても必ずある時間以上広告・宣伝データ部を表示・再生し、そして視聴者が視聴したいデータ部を表示・再生している時は、視聴者は視聴者が視聴したいデータ部の視聴したい個所を自由に表示・再生させることが可能である様にする。【選択図】図１
2004312652.tif 000002
【特許請求の範囲】
【請求項１】
配信用広告・宣伝データ付きコンピュータ・データファイルは、視聴者が視聴したいデータ部と、広告・宣伝データ部が一つのファイルに収められているデータファイルであり、視聴者が視聴したいデータ部及び広告・宣伝データ部は、文章・静止画像・音声・動画のいずれかの複合または単体によって構成されており、そしてその配信用広告・宣伝データ付きデータファイルは、専用のコンピュータ・ソフトウェアを使用しなければ解読が容易でないように暗号化が施されており、そして配信用広告・宣伝データ付きデータファイル表示・再生コンピュータ・ソフトウェアは、その配信用広告・宣伝データ付きデータファイルを表示・再生する時、施された暗号を復号化し、視聴者はその配信用広告・宣伝データ付きデータファイルの表示・再生を終了させる操作以外のいかなる操作をしても必ずある時間以上広告・宣伝データ部を表示・再生し、そして視聴者が視聴したいデータ部を表示・再生している時は、視聴者はその表示・再生ソフトウェアを操作して、視聴者が視聴したいデータ部の視聴したい個所を自由に表示・再生させることが可能である、文章・静止画像・音声・動画の表示・再生コンピュータ・ソフトウェア。
【発明の詳細な説明】
【０００１】
【発明の属する技術分野】
本発明は、広告宣伝方法に関し、特に、娯楽作品などのソフトウェアデータ配信に伴う広告宣伝方法に関する技術に属する。
【０００２】
【従来の技術】
娯楽作品などの文章・静止画像・音声・動画ファイルの配信方法として、ＧＩＦ・ＪＰＧ・ＭＰ３・ＭＰＥＧなどの形式で作製された文章・静止画像・音声・動画ファイルとして配信する方法がある。
【０００３】
【発明が解決しようとする課題】
娯楽作品などの文章・静止画像・音声・動画ファイルの配信方法として、広告・宣伝データ付き文章・静止画像・音声・動画ファイルをインターネットなどで無料で配信し、配信者は広告主から広告収入を得る、という方法などが考えられる。
【０００４】
音声・動画の配信用広告・宣伝データ付きデータファイルを、通常のＭＰ３音声ファイルまたはＭＰＥＧ動画ファイルで作成し配信する場合、視聴者が視聴したい音声または動画の先頭または途中に、広告・宣伝用の音声または動画を挿入する方法がある。しかし、視聴者は簡単に広告・宣伝用の部分を飛ばして視聴したい部分を視聴する事が可能である。また、作成者以外の人物が簡単に加工する事が可能であるので、広告・宣伝データ付き音声・動画ファイル配信には向かない。そこで、簡単に加工する事が不可能であり、視聴者は広告・宣伝用の部分を飛ばして視聴することが不可能な、音声・動画の配信用広告・宣伝データ付きデータファイルならば、音声・動画の配信用広告・宣伝データ付きデータファイル配信に向いているということが考えられる。
【０００５】
本発明は、簡単に加工する事が不可能であり、視聴者は広告・宣伝用の部分を飛ばして視聴することが不可能な、文章・静止画像・音声・動画の配信用広告・宣伝データ付きデータファイルと、その表示・再生コンピュータ・ソフトウェアに関する技術を提供するものである。
【０００６】
【課題を解決するための手段】
上記課題を解決するための文章・静止画像・音声・動画の表示・再生コンピュータ・ソフトウェアは、まず、配信用広告・宣伝データ付きコンピュータ・データファイルは、視聴者が視聴したいデータ部と、広告・宣伝データ部が一つのファイルに収められているデータファイルであり、視聴者が視聴したいデータ部及び広告・宣伝データ部は、文章・静止画像・音声・動画のいずれかの複合または単体によって構成されており、そしてその配信用広告・宣伝データ付きデータファイルは、専用のコンピュータ・ソフトウェアを使用しなければ解読が容易でないように暗号化が施されており、そして配信用広告・宣伝データ付きデータファイル表示・再生コンピュータ・ソフトウェアは、その配信用広告・宣伝データ付きデータファイルを表示・再生する時、施された暗号を復号化し、視聴者はその配信用広告・宣伝データ付きデータファイルの表示・再生を終了させる操作以外のいかなる操作をしても必ずある時間以上広告・宣伝データ部を表示・再生し、そして視聴者が視聴したいデータ部を表示・再生している時は、視聴者はその表示・再生ソフトウェアを操作して、視聴者が視聴したいデータ部の視聴したい個所を自由に表示・再生させることが可能である、文章・静止画像・音声・動画の表示・再生コンピュータ・ソフトウェアである。
【０００７】
【発明の実施の形態】
以下、実施例の一つとして、楽曲・動画の配信用広告・宣伝データ付きデータファイル及びその表示・再生ソフトウェアについて図１に基づいて説明する。
【０００８】
楽曲・動画の配信用広告・宣伝データ付きデータファイル３は、楽曲・動画の配信用広告・宣伝データ付きデータファイル作成ソフトウェア５によってＧＩＦ・ＪＰＧ・ＭＰ３・ＭＰＥＧ等による広告・宣伝データ部１とＭＰ３・ＭＰＥＧによる楽曲または動画の視聴者が視聴したいデータ部２が一つのファイルに収められ、作成者以外の人物に加工されないように暗号化が施されている。そしてその配信用広告・宣伝データ付きデータファイル３をインターネットなどで配信する。
【０００９】
視聴者はその配信用広告・宣伝データ付きデータファイル３を自分のコンピュータにダウンロードし、楽曲・動画の配信用広告・宣伝データ付きデータファイル表示・再生ソフトウェア４を使って表示・再生する。楽曲・動画の配信用広告・宣伝データ付きデータファイル表示・再生ソフトウェア４は楽曲・動画の配信用広告・宣伝データ付きデータファイル３を表示・再生する時、施された暗号を復号化し、視聴者は、ＭＰ３・ＭＰＥＧによる楽曲または動画の視聴者が視聴したいデータ部２は、視聴者はその表示・再生ソフトウェア４を操作して、視聴したい個所を自由に視聴することが可能であり、その間、広告・宣伝表示部にＧＩＦ・ＪＰＧ・ＭＰ３・ＭＰＥＧ等による広告・宣伝データ部１を常に、または一時的に表示する。視聴者はその表示・再生ソフトウェア４を操作して、広告・宣伝表示部を任意に非表示にすることが不可能である。
【００１０】
以下、もう一つの実施例として、書物の配信用広告・宣伝データ付きデータファイル及びその表示・再生ソフトウェアについて図１に基づいて説明する。
【００１１】
書物の配信用広告・宣伝データ付きデータファイル３は、書物の配信用広告・宣伝データ付きデータファイル作成ソフトウェア５によってＧＩＦ・ＪＰＧ・ＭＰ３・ＭＰＥＧ等による広告・宣伝データ部１とＪＰＧによる書物の視聴者が視聴したいデータ部２が一つのファイルに収められ、作成者以外の人物に加工されないように暗号化が施されている。そしてその配信用広告・宣伝データ付きデータファイル３をインターネットなどで配信する。
【００１２】
視聴者はその配信用広告・宣伝データ付きデータファイル３を自分のコンピュータにダウンロードし、書物の配信用広告・宣伝データ付きデータファイル表示・再生ソフトウェア４を使って表示・再生する。書物の配信用広告・宣伝データ付きデータファイル表示・再生ソフトウェア４は書物の配信用広告・宣伝データ付きデータファイル３を表示・再生する時、施された暗号を復号化し、視聴者は、ＪＰＧによる書物の視聴者が視聴したいデータ部２は、視聴者はその表示・再生ソフトウェア４を操作して、閲覧したいページを自由に閲覧することが可能であり、その間、広告・宣伝表示部にＧＩＦ・ＪＰＧ・ＭＰ３・ＭＰＥＧ等による広告・宣伝データ部１を常に、または一時的に表示・再生する。視聴者は表示・再生ソフトウェア４を操作して、広告・宣伝表示部を任意に非表示にすることが不可能である。
【００１３】
以下、さらにもう一つの実施例として、動画の配信用広告・宣伝データ付きデータファイル及びその表示・再生ソフトウェアについて図１に基づいて説明する。
【００１４】
動画の配信用広告・宣伝データ付きデータファイル３は、動画の配信用広告・宣伝データ付きデータファイル作成ソフトウェア５によってＧＩＦ・ＪＰＧ・ＭＰ３・ＭＰＥＧ等による広告・宣伝データ部１とＭＰＥＧによる動画の視聴者が視聴したいデータ部２が一つのファイルに収められ、作成者以外の人物に加工されないように暗号化が施されている。そしてその配信用広告・宣伝データ付きデータファイル３をインターネットなどで配信する。
【００１５】
視聴者はその配信用広告・宣伝データ付きデータファイル３を自分のコンピュータにダウンロードし、動画の配信用広告・宣伝データ付きデータファイル表示・再生ソフトウェア４を使って表示・再生する。動画の配信用広告・宣伝データ付きデータファイル表示・再生ソフトウェア４は動画の配信用広告・宣伝データ付きデータファイル３を表示・再生する時、施された暗号を復号化し、まず、ＧＩＦ・ＪＰＧ・ＭＰ３・ＭＰＥＧ等による広告・宣伝データ部１を表示・再生する。広告・宣伝データ部１を表示・再生している時は、視聴者は表示・再生ソフトウェア４を操作して、ＧＩＦ・ＪＰＧ・ＭＰ３・ＭＰＥＧ等による広告・宣伝データ部１の表示・再生を任意に終了させることが不可能である。そして、ＧＩＦ・ＪＰＧ・ＭＰ３・ＭＰＥＧ等による広告・宣伝データ部１の表示・再生が終了した後にＭＰＥＧによる動画の視聴者が視聴したいデータ部２を再生する。視聴者は、ＭＰＥＧによる動画の視聴者が視聴したいデータ部２は、視聴者は表示・再生ソフトウェア４を操作して、視聴したい個所を自由に視聴することが可能である。
【００１６】
【発明の効果】
暗号化が施された文章・静止画像・音声・動画の配信用広告・宣伝データ付きデータファイルは、専用のコンピュータ・ソフトウェア以外のソフトウェアでは表示・再生することが不可能である。そのため、視聴者は専用のコンピュータ・ソフトウェアで表示・再生する事になり、表示・再生毎に広告・宣伝データを視聴する事になる。
【図面の簡単な説明】
【図１】配信用広告・宣伝データ付きデータファイルの作成ソフトウェアと表示・再生ソフトウェアが行う作業を示した図である。
【符号の説明】
１  広告・宣伝データ部
２  視聴者が視聴したいデータ部
３  配信用広告・宣伝データ付きデータファイル
４  配信用広告・宣伝データ付きデータファイル表示・再生ソフトウェア
５  配信用広告・宣伝データ付きデータファイル作成ソフトウェア
【図１】
2004312652.tif 000003